(57)【要約】【課題】エラーの詳細や対処方法を確実にユーザに通知することができる再生装置を提供する。【解決手段】ＨＤＤ−ＤＶＤレコーダ１００は、映像を再生してテレビ２００に出力する再生装置であって、エラーを検出する検出部１０１と、エラーが検出されたとき、テレビ２００の電源をオンにするとともに、テレビ２００の入力をＨＤＤ−ＤＶＤレコーダ１００からの出力に切り換えるテレビ制御部１０３と、エラーが検出されたとき、エラーの詳細や対処方法を示す映像を生成する生成部１０４と、生成された映像をテレビ２００に出力する出力部１０５とを備える。【選択図】図３
2007141345.tif 000002
【特許請求の範囲】
【請求項１】
映像を再生して表示装置に出力する再生装置であって、
前記再生装置の状態を検出する検出手段と、
前記再生装置の状態が検出されたとき、前記表示装置の電源をオンにする電源制御手段と、
前記再生装置の状態が検出されたとき、前記表示装置の入力を前記再生装置からの出力に切り換える切換制御手段と、
前記再生装置の状態が検出されたとき、その状態に関係する映像を生成する生成手段と、
前記生成手段によって生成された映像を前記表示装置に出力する出力手段と
を備えることを特徴とする再生装置。
【請求項２】
前記再生装置はさらに、
前記再生装置の状態が検出されたとき、所定ボタンを点灯させる点灯手段と、
前記ボタンが押下されたことを検知する検知手段とを備え、
前記電源制御手段は、前記ボタンが押下されたことが検知されたとき、前記電源制御をし、
前記入力切換手段は、前記ボタンが押下されたことが検知されたとき、前記切換制御をし、
前記生成手段は、前記ボタンが押下されたことが検知されたとき、前記映像を生成する
ことを特徴とする請求項１に記載の再生装置。
【請求項３】
前記再生装置はさらに、
前記再生装置の状態が検出されたとき、所定マークをパネルに表示するパネル制御手段と、
前記再生装置のリモコン上のボタンのうち前記マークに対応するボタンが押下されたことを検知する検知手段とを備え、
前記電源制御手段は、前記ボタンが押下されたことが検知されたとき、前記電源制御をし、
前記入力切換手段は、前記ボタンが押下されたことが検知されたとき、前記切換制御をし、
前記生成手段は、前記ボタンが押下されたことが検知されたとき、前記映像を生成する
ことを特徴とする請求項１に記載の再生装置。
【請求項４】
前記再生装置はさらに、
前記再生装置から所定範囲内に人がいることを検知するセンサを備え、
前記電源制御手段は、人がいることが検知されたとき、前記電源制御をし、
前記入力切換手段は、人がいることが検知されたとき、前記切換制御をし、
前記生成手段は、人がいることが検知されたとき、前記映像を生成する
ことを特徴とする請求項１に記載の再生装置。
【請求項５】
前記検出手段は、前記再生装置の状態として前記再生装置で発生したエラーを検出し、
前記生成手段は、エラーの詳細またはエラーの対処方法を示す映像を生成する
ことを特徴とする請求項１に記載の再生装置。
【請求項６】
前記再生装置はさらに、
前記再生装置の状態が検出されたとき、その状態が所定状態であるか否かを判定する判定手段を備え、
前記電源制御手段は、所定状態であると判定されたとき、前記電源制御をし、
前記入力切換手段は、所定状態であると判定されたとき、前記切換制御をし、
前記生成手段は、所定状態であると判定されたとき、前記映像を生成する
ことを特徴とする請求項１に記載の再生装置。
【請求項７】
前記再生装置はさらに、
映像を記録する記録手段を備える
ことを特徴とする請求項１に記載の再生装置。
【請求項８】
映像を再生して表示装置に出力する再生装置の状態をユーザに通知する方法であって、
前記再生装置の状態を検出する検出ステップと、
前記再生装置の状態が検出されたとき、前記表示装置の電源をオンにする電源制御ステップと、
前記再生装置の状態が検出されたとき、前記表示装置の入力を前記再生装置からの出力に切り換える切換制御ステップと、
前記再生装置の状態が検出されたとき、その状態に関係する映像を生成する生成ステップと、
前記生成ステップにおいて生成された映像を前記表示装置に出力する出力ステップと
を含むことを特徴とする状態通知方法。
【発明の詳細な説明】
【技術分野】
【０００１】
本発明は、映像を再生して表示装置に出力する再生装置に関し、特に、再生装置で発生したエラーの詳細や対処方法をユーザに通知する技術に関する。
【背景技術】
【０００２】
現在、各家庭に普及している再生装置の代表例として、ビデオテープレコーダ、ＤＶＤプレーヤなどの光ディスク再生装置、ＨＤＤ−ＤＶＤレコーダなどの大容量磁気ディスク−光ディスク記録再生装置がある。これらの再生装置は、テレビやプロジェクターのような表示装置に映像専用線を介して接続することができる。
【０００３】
再生装置を操作している途中でエラーが発生すると、本体備え付けのフロントパネルやランプ、スピーカーを通じてエラーの原因がユーザに通知される。しかし、フロントパネルに表示されるエラーメッセージは、「Ｕ２５  ＤＵＢＢＩＮＧ  ＥＲＲＯＲ」のような短いメッセージである。このようなメッセージでは、エラーの詳細や対処方法を詳しく知ることができないため、操作に不慣れなユーザは、自分でエラーの対処ができない場合がある。
【０００４】
そこで、最近の再生装置は、エラーの詳細や対処方法を表示装置に表示することができる。すなわち、エラーの詳細や対処方法を示す長いメッセージは、再生装置のフロントパネルに表示することができないので、再生装置に比べて表示能力の高い表示装置を利用している。
【０００５】
このような再生装置の中には、操作用のグラフィックユーザインタフェース（以下「ＧＵＩ」と略す）を表示装置に表示することが可能なものもある。ユーザは、表示装置に表示されている内容を見ることによってエラーの詳細や対処方法を知ることができ、表示装置に表示されているＧＵＩを介してエラーに対処することができる。
【０００６】
なお、ＡＶ．ｌｉｎｋ規格（非特許文献１参照）では、表示装置や再生装置などが連携して動作するためのコマンドが規定されている。例えば、再生装置に対してリモコンでメニュー画面を表示させると同時に、再生装置からテレビに向けてＡＶ．ｌｉｎｋ線を介して所定の画面切り替え要求コマンドを送信する。これによって、再生装置が接続された入力端子からの信号にテレビの入力を切り換えさせ、再生装置のメニュー画面をテレビ画面に表示させることができる。ＨＤＭＩインターフェース中のＣＥＣ線によっても同様の機能を実現することができる（非特許文献２参照）。
【非特許文献１】ＣＥＮＥＬＥＣ  ＡＶ．ｌｉｎｋ（ＥＮ５０１５７−１、ＥＮ５０１５７−２−１、ＥＮ５０１５７−２−２、ＥＮ５０１５７−２−３）
【非特許文献２】ＨＤＭＩ  Ｓｐｅｃｉｆｉｃａｔｉｏｎ  １．１  （ＣＥＣ  Ｓｕｐｐｌｅｍｅｎｔ部）
【発明の開示】
【発明が解決しようとする課題】
【０００７】
しかしながら、再生装置でエラーが発生したとき、表示装置の電源がオフになっている場合がある。このような場合、エラーの詳細や対処方法は表示装置に表示されない。また、表示装置の電源がオンになっていても、表示装置の入力が再生装置からの出力に設定されていない場合がある。このような場合も、エラーの詳細や対処方法は表示装置に表示されない。
【０００８】
本発明は、このような問題点に鑑みてなされたものであって、エラーの詳細や対処方法を確実にユーザに通知することができる再生装置を提供することを目的とする。
【課題を解決するための手段】
【０００９】
前記目的を達成するために、本発明に係る再生装置は、映像を再生して表示装置に出力する再生装置であって、前記再生装置の状態を検出する検出手段と、前記再生装置の状態が検出されたとき、前記表示装置の電源をオンにする電源制御手段と、前記再生装置の状態が検出されたとき、前記表示装置の入力を前記再生装置からの出力に切り換える切換制御手段と、前記再生装置の状態が検出されたとき、その状態に関係する映像を生成する生成手段と、前記生成手段によって生成された映像を前記表示装置に出力する出力手段とを備える。これによって、再生装置で発生したエラーの詳細や対処方法を表示装置に表示する場合は、表示装置の電源が自動的にオンになるとともに、表示装置の入力が再生装置からの出力に自動的に切り換わるので、再生装置の状態の詳細などを確実にユーザに通知することができる。
【００１０】
ここで、前記再生装置はさらに、前記再生装置の状態が検出されたとき、所定ボタンを点灯させる点灯手段と、前記ボタンが押下されたことを検知する検知手段とを備え、前記電源制御手段は、前記ボタンが押下されたことが検知されたとき、前記電源制御をし、前記入力切換手段は、前記ボタンが押下されたことが検知されたとき、前記切換制御をし、前記生成手段は、前記ボタンが押下されたことが検知されたとき、前記映像を生成してもよい。これによって、ユーザが所定ボタンを押下した場合に限り、前記と同様の手法によって、再生装置の状態の詳細などをユーザに通知することができる。
【００１１】
また、前記再生装置はさらに、前記再生装置の状態が検出されたとき、所定マークをパネルに表示するパネル制御手段と、前記再生装置のリモコン上のボタンのうち前記マークに対応するボタンが押下されたことを検知する検知手段とを備え、前記電源制御手段は、前記ボタンが押下されたことが検知されたとき、前記電源制御をし、前記入力切換手段は、前記ボタンが押下されたことが検知されたとき、前記切換制御をし、前記生成手段は、前記ボタンが押下されたことが検知されたとき、前記映像を生成してもよい。これによって、ユーザが再生装置のリモコン上のボタンのうち所定マークに対応するボタンを押下した場合に限り、前記と同様の手法によって、再生装置の状態の詳細などをユーザに通知することができる。
【００１２】
また、前記再生装置はさらに、前記再生装置から所定範囲内に人がいることを検知するセンサを備え、前記電源制御手段は、人がいることが検知されたとき、前記電源制御をし、前記入力切換手段は、人がいることが検知されたとき、前記切換制御をし、前記生成手段は、人がいることが検知されたとき、前記映像を生成してもよい。これによって、再生装置から所定範囲内に人がいる場合に限り、前記と同様の手法によって、再生装置の状態の詳細などをユーザに通知することができる。
【００１３】
また、前記検出手段は、前記再生装置の状態として前記再生装置のエラーを検出し、前記生成手段は、エラーの詳細またはエラーの対処方法を示す映像を生成してもよい。これによって、再生装置で発生したエラーの詳細またはエラーの対処方法を確実にユーザに通知することができる。
【００１４】
また、前記再生装置はさらに、前記再生装置の状態が検出されたとき、その状態が所定状態であるか否かを判定する判定手段を備え、前記電源制御手段は、所定状態であると判定されたとき、前記電源制御をし、前記入力切換手段は、所定状態であると判定されたとき、前記切換制御をし、前記生成手段は、所定状態であると判定されたとき、前記映像を生成してもよい。これによって、再生装置の状態が検出された状態が所定状態である場合のみ、その状態の詳細などをユーザに通知することができる。
【００１５】
また、前記再生装置はさらに、映像を記録する記録手段を備えてもよい。これによって、再生装置だけでなく、記録再生装置に対しても本発明を適用することができる。
【００１６】
なお、本発明は、このような再生装置として実現することができるだけでなく、このような再生装置が備える特徴的な手段をステップとする、再生装置の状態をユーザに通知する方法として実現することもできる。
【発明の効果】
【００１７】
以上の説明から明らかなように、本発明に係る再生装置によれば、再生装置で発生したエラーの詳細や対処方法を表示装置に表示する場合は、表示装置の電源が自動的にオンになるとともに、表示装置の入力が再生装置からの出力に自動的に切り換わるので、エラーの詳細や対処方法を確実にユーザに通知することができる。しかも、ユーザが表示装置の前にいないのに表示装置の電源が自動的にオンになる等の不具合を回避することができる。
【発明を実施するための最良の形態】
【００１８】
以下、本発明の実施の形態について図面を用いて詳細に説明する。
【００１９】
（実施の形態１）
図１は、本実施の形態１の概要を示す図である。ここでは、テレビ２００とＨＤＤ−ＤＶＤレコーダ１００とが、Ｈｉｇｈ−Ｄｅｆｉｎｉｔｉｏｎ  Ｍｕｌｔｉｍｅｄｉａ  Ｉｎｔｅｒｆａｃｅ（以下「ＨＤＭＩ」と略す）ケーブルで接続されている状態を示している。テレビ２００は表示装置の一例であり、ＨＤＤ−ＤＶＤレコーダ１００は再生装置の一例である。ＨＤＤ−ＤＶＤレコーダ１００のＨＤＤまたはＤＶＤ−ＲＡＭに記録されているテレビ番組の再生映像や、ＨＤＤ−ＤＶＤレコーダ１００を操作するためのＧＵＩは、テレビ２００に表示することができる。
【００２０】
図２は、本実施の形態１におけるＨＤＤ−ＤＶＤレコーダ１００の正面図である。この図に示すように、ＨＤＤ−ＤＶＤレコーダ１００は、フロントパネル１１と、制御用ボタン群１２とを備えている。フロントパネル１１は、例えばＦＬ管や液晶パネルであり、２０文字程度の文字列を表示することができる。制御用ボタン群１２は、ＨＤＤ−ＤＶＤレコーダ１００を制御するためのボタンの集まりである。制御用ボタンが押下されると、そのボタンに対応する処理が実行される。
【００２１】
図３は、本実施の形態１におけるＨＤＤ−ＤＶＤレコーダ１００のブロック図である。このＨＤＤ−ＤＶＤレコーダ１００は、映像を再生してテレビ２００に出力する装置であって、機能的には、検出部１０１と、判定部１０２と、テレビ制御部１０３と、生成部１０４と、出力部１０５と、基準テーブル１０６とを備えている。
【００２２】
検出部１０１は、ＨＤＤ−ＤＶＤレコーダ１００で発生したエラーを検出する。判定部１０２は、検出されたエラーが所定のエラーであるか否か、基準テーブル１０６を参照することによって判定する。テレビ制御部１０３は、検出されたエラーが所定のエラーであると判定されたとき、ＨＤＭＩ／ＣＥＣ（Ｃｏｎｓｕｍｅｒ  Ｅｌｅｃｔｒｏｎｉｃｓ  Ｃｏｎｔｒｏｌ）を用いることによってテレビ２００を制御する。このテレビ制御部１０３には、テレビ２００の電源制御をする電源制御部と、テレビ２００の入力の切換制御をする切換制御部とが含まれる。生成部１０４は、検出されたエラーが所定のエラーであると判定されたとき、エラーの詳細や対処方法を示す映像を生成する。出力部１０５は、生成された映像をテレビ２００に出力する。もちろん、このＨＤＤ−ＤＶＤレコーダ１００は、ＤＶＤドライブ・ＨＤＤドライブ・画像処理ＬＳＩなどのハードウエアを制御する手段や、テレビ番組の録画・再生・ダビングの各機能を実現する手段なども備えているが、これら手段は本発明の主眼とする手段ではないため、ここでは図示を省略している。
【００２３】
図４は、本実施の形態１における基準テーブル１０６の内部構成図である。この基準テーブル１０６は、検出部１０１によって検出されたエラーが所定のエラーであるか否かを判定する際に参照されるテーブルであって、「エラーコード」「エラー名」「詳細と対処方法」の各フィールドを備えている。「エラーコード」フィールドには、エラーを識別するためのコードが格納されている。「エラー名」フィールドには、エラーの名称が格納されている。「詳細と対処方法」フィールドには、エラーの詳細と対処方法を示す情報が格納されている。
【００２４】
図５は、本実施の形態１におけるＨＤＤ−ＤＶＤレコーダ１００の動作を示すフローチャートであり、図６は、本実施の形態１におけるＨＤＤ−ＤＶＤレコーダ１００とテレビ２００の正面図である。以下、図５及び図６を用いて、本実施の形態１におけるＨＤＤ−ＤＶＤレコーダ１００の動作について説明する。
【００２５】
まず、ＨＤＤ−ＤＶＤレコーダ１００の電源がオンの状態で、ＨＤＤ−ＤＶＤレコーダ１００にＤＶＤ−ＲＡＭがセットされた後、ワンタッチダビングボタン２１が押下されたものと仮定する。ワンタッチダビングボタン２１とは、図６（Ａ）に示すように、制御用ボタン群１２に含まれるボタンであって、ＤＶＤ−ＲＡＭに記録されているテレビ番組の全てを自動的にＨＤＤにコピーするためのボタンである。
【００２６】
ここで、ＨＤＤに記録されているテレビ番組が沢山あるために、容量不足が原因で、ＤＶＤ−ＲＡＭに記録されているテレビ番組の全てをＨＤＤにコピーできない場合がある。この場合、検出部１０１は、ダビングエラーが発生したことを検出し（Ｓ１１）、そのエラーコード「Ｕ２５」を判定部１０２に渡す。
【００２７】
判定部１０２は、検出されたエラーが所定のエラーであるか否かを判定する（Ｓ１２）。具体的には、検出部１０１から受け取ったエラーコード「Ｕ２５」が基準テーブル１０６に格納されているか否かを確認する。そして、エラーコード「Ｕ２５」が基準テーブル１０６に格納されている場合は所定のエラーであると判定し（Ｓ１２でＹｅｓ）、逆に、エラーコード「Ｕ２５」が基準テーブル１０６に格納されていない場合は所定のエラーでないと判定する（Ｓ１２でＮｏ）。
【００２８】
ここでは、図４に示すように、エラーコード「Ｕ２５」が基準テーブル１０６に格納されているため、判定部１０２は、ダビングエラーが所定のエラーであると判定する。そして、テレビ２００を制御するようにテレビ制御部１０３に指示するとともに、ダビングエラーの詳細と対処方法を示す映像を生成するように生成部１０４に指示する。
【００２９】
これによって、テレビ制御部１０３に含まれる電源制御部は、ＨＤＭＩ／ＣＥＣで定義された電源ONコマンドを発行することによって、テレビ２００の電源にオンにする（Ｓ１３）。また、テレビ制御部１０３に含まれる切換制御部は、入力切換コマンドを発行することによって、テレビ２００の入力をＨＤＤ−ＤＶＤレコーダ１００からの出力に切り換える（Ｓ１４）。
【００３０】
一方、生成部１０４は、ダビングエラーの詳細と対処方法を示す映像を生成して出力部１０５に渡す。ダビングエラーの詳細と対処方法は、図４に示すように、「コピー先のＨＤＤの容量がいっぱいです。ＨＤＤに記録されている番組を消してください。」という文字列である。出力部１０５は、生成部１０４によって生成された映像をＨＤＭＩケーブルを介してテレビ２００に出力する（Ｓ１５）。これによって、テレビ２００には、図６（Ｂ）に示すように、ダビングエラーの詳細と対処方法が表示されることになる。
【００３１】
以上のように、本実施の形態１によれば、ＨＤＤ−ＤＶＤレコーダ１００で発生したエラーの詳細や対処方法をテレビ２００に表示する場合は、テレビ２００の電源が自動的にオンになるとともに、テレビ２００の入力がＨＤＤ−ＤＶＤレコーダ１００からの出力に自動的に切り換わるので、エラーの詳細や対処方法を確実にユーザに通知することができる。
【００３２】
なお、ここでは、テレビ２００にエラーの詳細や対処方法を表示させる点だけに着目して説明したが、ＨＤＤ−ＤＶＤレコーダ１００のフロントパネル１１には、図６（Ａ）に示すように、「Ｕ２５  ＤＵＢＢＩＮＧ  ＥＲＲＯＲ」等の短いエラーメッセージが表示される。このエラーメッセージを出すタイミングは特に限定されるものではないが、検出部１０１によって検出されたエラーが所定のエラーであると判定された直後とするのが望ましい。
【００３３】
また、図５に示すフローチャートでは、テレビ２００の電源をオンにしたうえで、テレビ２００の入力を切り換えた後、テレビ２００に映像を出力する手順（Ｓ１３→Ｓ１４→Ｓ１５）を示しているが、本発明はこれに限定されるものではない。例えば、テレビ２００に映像を出力するタイミングは、テレビ２００の電源をオンにする前であってもよい。
【００３４】
また、ＨＤＤ−ＤＶＤレコーダ１００の内部に基準テーブル１０６を備えることとしているが、基準テーブル１０６は外部の記憶装置に保存しておいてもよい。
【００３５】
また、基準テーブル１０６の作成手法については特に言及しなかったが、ＨＤＤ−ＤＶＤレコーダ１００で発生するエラーの全部について、そのエラー情報を基準テーブル１０６に格納する必要はない。すなわち、ＨＤＤ−ＤＶＤレコーダ１００で発生するエラーの中には、積極的にユーザに通知する必要のないエラーも存在する。そのようなエラー情報は基準テーブル１０６に格納する必要はない。
【００３６】
また、ここでは、ＨＤＤ−ＤＶＤレコーダ１００を例示しているが、再生装置はこれに限定されるものではない。すなわち、ＨＤＤレコーダ、ＤＶＤレコーダ、ＤＶＤプレーヤ、ビデオテープレコーダなどを再生装置として採用しても、同様の効果を得ることができる。
【００３７】
また、ここでは、エラーの詳細や対処方法をユーザに通知することとしているが、本発明はこれに限定されるものではない。すなわち、エラーに限らず、ＨＤＤ−ＤＶＤレコーダ１００の状態に関係することであれば、同様の手法によってユーザに通知することが可能である。
【００３８】
（実施の形態２）
前記実施の形態１によれば、テレビ２００の電源が自動的にオンになるとともに、テレビ２００の入力がＨＤＤ−ＤＶＤレコーダ１００からの出力に自動的に切り換わる。これによって、エラーの詳細と対処方法がテレビ２００に表示されることになる。
【００３９】
しかしながら、エラーの詳細と対処方法がテレビ２００に表示されたとき、ユーザがテレビ２００の前にいない場合がある。例えば、ＨＤＤ−ＤＶＤレコーダ１００がネットワーク対応機器であり、遠隔操作されている場合である。このように、ユーザがテレビ２００の前にいない場合にも、テレビ２００の電源が自動的にオンになるのは望ましくない。
【００４０】
以下、本実施の形態２を前記実施の形態１と異なる点のみ説明する。
【００４１】
図７は、本実施の形態２におけるＨＤＤ−ＤＶＤレコーダ１００のブロック図である。このＨＤＤ−ＤＶＤレコーダ１００は、前記実施の形態１で説明した構成に加え、点灯部１１１と、検知部１１２とを備えている。点灯部１１１は、検出部１０１によって検出されたエラーが所定のエラーであると判定されたとき、後述する案内ボタン３１を点灯させる。検知部１１２は、案内ボタン３１が押下されたことを検知すると、テレビ２００を制御するようにテレビ制御部１０３に指示するとともに、エラーの詳細と対処方法を示す映像を生成するように生成部１０４に指示する。
【００４２】
図８は、本実施の形態２におけるＨＤＤ−ＤＶＤレコーダ１００の動作を示すフローチャートであり、図９は、本実施の形態２におけるＨＤＤ−ＤＶＤレコーダ１００とテレビ２００の正面図である。以下、図８及び図９を用いて、本実施の形態２におけるＨＤＤ−ＤＶＤレコーダ１００の動作について説明する。
【００４３】
ＨＤＤ−ＤＶＤレコーダ１００の電源がオンの状態で、ＤＶＤドライブのトレイが閉まっているとき、トレイ開閉ボタン２２が押下され、ＤＶＤディスクがＨＤＤ−ＤＶＤレコーダ１００にセットされた後、もう一度トレイ開閉ボタン２２が押下されたものと仮定する。トレイ開閉ボタン２２とは、図９（Ａ）に示すように、制御用ボタン群１２に含まれるボタンであって、ＤＶＤドライブのトレイＴを開閉するためのボタンである。
【００４４】
ここで、ＤＶＤディスクがＨＤＤ−ＤＶＤレコーダ１００で使用できる規格ではないために再生できない場合がある。この場合、検出部１０１は、ディスクエラーが発生したことを検出し（Ｓ１１）、そのエラーコード「Ｕ１０」を判定部１０２に渡す。
【００４５】
前記実施の形態１と同様、判定部１０２は、検出されたエラーが所定のエラーであるか否かを判定する（Ｓ１２）。この場合も、所定のエラーであると判定することになり（Ｓ１２でＹｅｓ）、その旨を点灯部１１１に通知する。この通知を受けた点灯部１１１は、案内ボタン３１を点灯させる（Ｓ２１）。案内ボタン３１は、図９（Ａ）に示すように、エラーに対処するようにユーザを案内するためのボタンであって、例えばＬＥＤが内側に入っているボタンである。
【００４６】
ユーザは、案内ボタン３１の点灯に気付くと、案内ボタン３１を押下する（Ｓ２２でＹｅｓ）。検知部１１２は、案内ボタン３１が押下されたことを検知すると、テレビ２００を制御するようにテレビ制御部１０３に指示するとともに、ディスクエラーの詳細と対処方法を示す映像を生成するように生成部１０４に指示する。
【００４７】
以降の動作（Ｓ１３〜Ｓ１５）は、前記実施の形態１と同様であるため説明を省略する。なお、テレビ２００には、図９（Ｂ）に示すように、「このディスクは本機では再生できません」など、ディスクエラーの詳細と対処方法が表示されることになる。
【００４８】
以上のように、本実施の形態２によれば、ユーザが案内ボタン３１を押下した場合に限り、前記実施の形態１と同様の手法によって、エラーの詳細や対処方法をユーザに通知することができる。言い換えると、ユーザがテレビ２００の前にいないのにテレビ２００の電源が自動的にオンになる等の不具合を回避することができる。
【００４９】
なお、案内ボタン３１は、ずっと点灯していてもよいし、点滅していてもよい。このような点灯または点滅は、案内ボタン３１が押下されたときに終了するのが望ましい。
【００５０】
また、ここでは、ディスクエラーを例示して説明したが、エラーの種類は特に限定されるものではない。例えば、ダビングエラーが発生した場合も、前記と同様の効果を得ることができる。
【００５１】
（実施の形態３）
前記実施の形態２では、ユーザが案内ボタン３１を押下したことをもって、ユーザがテレビ２００の前にいるとみなしている。しかしながら、ユーザがテレビ２００の前にいるか否かを確認する手法は様々あり、特に限定されるものではない。
【００５２】
以下、本実施の形態３を前記実施の形態１と異なる点のみ説明する。
【００５３】
図１０は、本実施の形態３におけるＨＤＤ−ＤＶＤレコーダ１００のブロック図である。このＨＤＤ−ＤＶＤレコーダ１００は、前記実施の形態１で説明した構成に加え、パネル制御部１２１と、検知部１２２とを備えている。パネル制御部１２１は、検出部１０１によって検出されたエラーが所定のエラーであると判定されたとき、後述する案内マークＭをフロントパネル１１に表示する。検知部１２２は、ＨＤＤ−ＤＶＤレコーダ１００のリモコンからの信号を受信する機能を備えている。そして、ＨＤＤ−ＤＶＤレコーダ１００のリモコン上のボタンのうち案内マークＭに対応するボタンが押下されたことを検知すると、テレビ２００を制御するようにテレビ制御部１０３に指示するとともに、エラーの詳細と対処方法を示す映像を生成するように生成部１０４に指示する。
【００５４】
図１１は、本実施の形態３におけるＨＤＤ−ＤＶＤレコーダ１００の動作を示すフローチャートであり、図１２は、本実施の形態３におけるＨＤＤ−ＤＶＤレコーダ１００とテレビ２００の正面図である。以下、図１１及び図１２を用いて、本実施の形態３におけるＨＤＤ−ＤＶＤレコーダ１００の動作について説明する。
【００５５】
あるユーザがＨＤＤ−ＤＶＤレコーダ１００をネットワーク経由で遠隔操作しているときに通信エラーが発生したと仮定する。そして、この通信エラーに対処するためには、ＨＤＤ−ＤＶＤレコーダ１００の前にいるユーザがネットワークモード切換ボタン２３を押下して、一旦ＨＤＤ−ＤＶＤレコーダ１００のネットワークモードをオフにする必要があるとする。ネットワークモード切換ボタン２３とは、図１２（Ａ）に示すように、制御用ボタン群１２に含まれるボタンであって、ネットワークモードのオン／オフを切り換えるためのボタンである。
【００５６】
この場合、検出部１０１は、ネットワークエラーが発生したことを検出し（Ｓ１１）、そのエラーコード「Ｕ４１」を判定部１０２に渡す。前記実施の形態１と同様、判定部１０２は、検出されたエラーが所定のエラーであるか否かを判定する（Ｓ１２）。この場合も、所定のエラーであると判定することになり（Ｓ１２でＹｅｓ）、その旨をパネル制御部１２１に通知する。この通知を受けたパネル制御部１２１は、案内マークＭをフロントパネル１１に表示する（Ｓ３１）。案内マークＭは、図１２（Ａ）に示すように、エラーに対処するようにユーザを案内するためのマークであればよく、その形状は限定されるものではない。
【００５７】
ユーザは、案内マークＭがフロントパネル１１に表示されたことに気付くと、ＨＤＤ−ＤＶＤレコーダ１００のリモコン３００上のボタンのうち、案内マークＭに対応する案内ボタン３０１を押下する（Ｓ３２でＹｅｓ）。検知部１２２は、リモコン３００上の案内ボタン３０１が押下されたことを検知すると、テレビ２００を制御するようにテレビ制御部１０３に指示するとともに、ネットワークエラーの詳細と対処方法を示す映像を生成するように生成部１０４に指示する。
【００５８】
以降の動作（Ｓ１３〜Ｓ１５）は、前記実施の形態１と同様であるため説明を省略する。なお、テレビ２００には、図１２（Ｂ）に示すように、「ＩＰアドレスが重複しています。いったんネットワークモードをＯＦＦにしてください」など、ネットワークエラーの詳細と対処方法が表示されることになる。
【００５９】
以上のように、本実施の形態３によれば、ユーザがリモコン３００上の案内ボタン３０１を押下した場合に限り、前記実施の形態１と同様の手法によって、エラーの詳細や対処方法をユーザに通知することができる。言い換えると、ユーザがテレビ２００の前にいないのにテレビ２００の電源が自動的にオンになる等の不具合を回避することができる。しかも、本実施の形態３は、フロントパネル１１に表示する内容を変更するだけで実現することができるので、実施の形態２と比べ、既存のＨＤＤ−ＤＶＤレコーダの仕組みを変えないで済むという効果もある。
【００６０】
なお、案内マークＭは、ずっと表示されていてもよいし、点滅して表示されていてもよい。このような表示は、リモコン３００上の案内ボタン３０１が押下されたときに終了するのが望ましい。
【００６１】
また、ここでは、ネットワークエラーを例示して説明したが、エラーの種類は特に限定されるものではない。例えば、ダビングエラーが発生した場合も、前記と同様の効果を得ることができる。
【００６２】
（実施の形態４）
前記実施の形態２では、ユーザが案内ボタン３１を押下したことをもって、ユーザがテレビ２００の前にいるとみなしている。しかしながら、ユーザがテレビ２００の前にいるか否かを確認する手法は様々あり、特に限定されるものではない。
【００６３】
以下、本実施の形態４を前記実施の形態１と異なる点のみ説明する。
【００６４】
図１３は、本実施の形態４におけるＨＤＤ−ＤＶＤレコーダ１００のブロック図である。このＨＤＤ−ＤＶＤレコーダ１００は、前記実施の形態１で説明した構成に加え、センサ制御部１３１を備えている。センサ制御部１３１は、検出部１０１によって検出されたエラーが所定のエラーであると判定されたとき、後述する人感センサ４１をオンにする。そして、人がいることを人感センサ４１が検知すると、テレビ２００を制御するようにテレビ制御部１０３に指示するとともに、エラーの詳細と対処方法を示す映像を生成するように生成部１０４に指示する。
【００６５】
人感センサ４１は、ＨＤＤ−ＤＶＤレコーダ１００から所定範囲内に人がいることを検知するセンサである。赤外線などを利用して、周囲温度と温度差のあるものが検知エリア内で動いたときに、その温度変化を検知する仕組みになっている。
【００６６】
図１４は、本実施の形態４におけるＨＤＤ−ＤＶＤレコーダ１００の動作を示すフローチャートであり、図１５は、本実施の形態４におけるＨＤＤ−ＤＶＤレコーダ１００とテレビ２００の正面図である。以下、図１４及び図１５を用いて、本実施の形態４におけるＨＤＤ−ＤＶＤレコーダ１００の動作について説明する。
【００６７】
まず、ＨＤＤ−ＤＶＤレコーダ６０１の電源がオンの状態で録画を開始したとする。ところが、暫く経って、外部からの振動などによってHDDが傷つき、ＨＤＤ−ＤＶＤレコーダ１００で録画が出来なくなるＲＥＣエラー（録画エラー）が発生したとする。
【００６８】
この場合、検出部１０１は、ＲＥＣエラーが発生したことを検出し（Ｓ１１）、そのエラーコード「Ｕ３２」を判定部１０２に渡す。前記実施の形態１と同様、判定部１０２は、検出されたエラーが所定のエラーであるか否かを判定する（Ｓ１２）。この場合も、所定のエラーであると判定することになり（Ｓ１２でＹｅｓ）、その旨をセンサ制御部１３１に通知する。この通知を受けたセンサ制御部１３１は、人感センサ４１をオンにし、人がいることを人感センサ４１が検知すると（Ｓ４１でＹｅｓ）、テレビ２００を制御するようにテレビ制御部１０３に指示するとともに、ＲＥＣエラーの詳細と対処方法を示す映像を生成するように生成部１０４に指示する。
【００６９】
以降の動作（Ｓ１３〜Ｓ１５）は、前記実施の形態１と同様であるため説明を省略する。なお、テレビ２００には、図１５（Ｂ）に示すように、「録画が中断されました。ＨＤＤでエラーが発生しました。再起動するので決定ボタンを押してください。」など、ＲＥＣエラーの詳細と対処方法が表示されることになる。これによって、ユーザが決定ボタン２４を押下すると、ＨＤＤ−ＤＶＤレコーダ１００が再起動するようになっている。決定ボタン２４とは、図１５（Ａ）に示すように、制御用ボタン群１２に含まれるボタンであって、テレビ２００やフロントパネル１１に表示されている内容を承諾する意思を伝えるためのボタンである。
【００７０】
以上のように、本実施の形態４によれば、ＨＤＤ−ＤＶＤレコーダ１００から所定範囲内に人がいる場合に限り、前記実施の形態１と同様の手法によって、エラーの詳細や対処方法をユーザに通知することができる。言い換えると、ユーザがテレビ２００の前にいないのにテレビ２００の電源が自動的にオンになる等の不具合を回避することができる。しかも、本実施の形態３は、人感センサ４１を用いて自動的に人がいるか否かを検知するようにしているので、エラーの詳細や対処方法をテレビ２００に表示するために、ユーザに操作をさせなくて済むという効果もある。
【００７１】
なお、ここでは、ＲＥＣエラーを例示して説明したが、エラーの種類は特に限定されるものではない。例えば、ダビングエラーが発生した場合も、前記と同様の効果を得ることができる。
【００７２】
また、ここでは、赤外線を利用した人感センサを採用した構成を例示しているが、センサの種類は特に限定されるものではない。すなわち、ＨＤＤ−ＤＶＤレコーダ１００から所定範囲内に人がいることを検知するセンサである以上、前記と同様の効果を得ることができる。
【産業上の利用可能性】
【００７３】
本発明に係る再生装置は、エラーの詳細や対処方法を確実にユーザに通知することが必要なビデオテープレコーダ、ＤＶＤプレーヤ、ＨＤＤ−ＤＶＤレコーダ等の用途にも適用することができる。
【図面の簡単な説明】
【００７４】
【図１】実施の形態１の概要を示す図
【図２】実施の形態１におけるＨＤＤ−ＤＶＤレコーダの正面図
【図３】実施の形態１におけるＨＤＤ−ＤＶＤレコーダのブロック図
【図４】実施の形態１における基準テーブルの内部構成図
【図５】実施の形態１におけるＨＤＤ−ＤＶＤレコーダの動作を示す図
【図６】実施の形態１におけるＨＤＤ−ＤＶＤレコーダとテレビの正面図
【図７】実施の形態２におけるＨＤＤ−ＤＶＤレコーダのブロック図
【図８】実施の形態２におけるＨＤＤ−ＤＶＤレコーダの動作を示す図
【図９】実施の形態２におけるＨＤＤ−ＤＶＤレコーダとテレビの正面図
【図１０】実施の形態３におけるＨＤＤ−ＤＶＤレコーダのブロック図
【図１１】実施の形態３におけるＨＤＤ−ＤＶＤレコーダの動作を示す図
【図１２】実施の形態３におけるＨＤＤ−ＤＶＤレコーダとテレビの正面図
【図１３】実施の形態４におけるＨＤＤ−ＤＶＤレコーダのブロック図
【図１４】実施の形態４におけるＨＤＤ−ＤＶＤレコーダの動作を示す図
【図１５】実施の形態４におけるＨＤＤ−ＤＶＤレコーダとテレビの正面図
【符号の説明】
【００７５】
１００  ＨＤＤ−ＤＶＤレコーダ
１０１  検出部
１０２  判定部
１０３  テレビ制御部
１０４  生成部
１０５  出力部
１０６  基準テーブル
１１１  点灯部
１１２  検知部
１２１  パネル制御部
１２２  検知部
１３１  センサ制御部
２００  テレビ
【図１】
2007141345.tif 000003
【図２】
2007141345.tif 000004
【図３】
2007141345.tif 000005
【図４】
2007141345.tif 000006
【図５】
2007141345.tif 000007
【図６】
2007141345.tif 000008
【図７】
2007141345.tif 000009
【図８】
2007141345.tif 000010
【図９】
2007141345.tif 000011
【図１０】
2007141345.tif 000012
【図１１】
2007141345.tif 000013
【図１２】
2007141345.tif 000014
【図１３】
2007141345.tif 000015
【図１４】
2007141345.tif 000016
【図１５】
2007141345.tif 000017